(57)【要約】【課題】  ＥＴＣ車載器を搭載していなくても、降車せずに入庫することが可能となり、かつ、駐車設備の運用に電波法上の有資格者を必要としない機械式駐車設備の入出庫サポートシステムを提供する。【解決手段】  車両載置用の複数のパレットと、パレットを入出庫部と複数の格納部との間で搬送するパレット駆動手段２５と、パレット駆動手段２５を制御するとともに無線通信を行い、プログラマブルコントローラ２６及び入出庫制御装置３０からなる運転制御手段とを有する機械式駐車設備１と、機械式駐車設備１を利用するための所定のプログラムを格納し、プログラムに基づいて運転制御手段との間で近距離無線通信規格に準拠した双方向の無線通信を行う携帯端末４０とを備え、運転制御手段は、無線通信により携帯端末４０から入庫要求を受信したときに、パレット駆動手段２５に空のパレットを入出庫部へ搬送させるように構成されている。【選択図】  図２
2015108227.tif 000002
【特許請求の範囲】
【請求項１】
車両載置用の複数のパレットと、前記パレットを入出庫部と複数の格納部との間で搬送する搬送手段と、前記搬送手段を制御するとともに無線通信を行う運転制御手段とを有する機械式駐車設備と、
前記機械式駐車設備を利用するための所定のプログラムを格納し、前記プログラムに基づいて前記運転制御手段との間で近距離無線通信規格に準拠した双方向の無線通信を行い、利用者によって所持される携帯端末とを備え、
前記運転制御手段は、無線通信により前記携帯端末から入庫要求を受信したときに、前記搬送手段に空の前記パレットを前記入出庫部へ搬送させるように構成された、
機械式駐車設備の入出庫サポートシステム。
【請求項２】
前記運転制御手段は、前記入庫要求を受信した後、前記空のパレットが前記入出庫部へ到着するまでの間に、無線通信により前記携帯端末に、前記携帯端末が備えている表示装置及びスピーカの少なくとも一方から前記機械式駐車設備に関する第１の情報を出力させるよう構成された、
請求項１に記載の機械式駐車設備の入出庫サポートシステム。
【請求項３】
前記第１の情報は、前記機械式駐車設備に車両を入庫する方法に関する入庫案内情報を含む情報である、
請求項２に記載の機械式駐車設備の入出庫サポートシステム。
【請求項４】
前記運転制御手段は、無線通信により前記携帯端末から利用者の識別情報を受信し、かつ前記携帯端末から前記入庫要求を受信したときに、前記搬送手段に前記空のパレットを前記入出庫部へ搬送させるとともに、前記利用者の識別情報と前記空のパレットの識別情報とを対応付けて記憶するよう構成され、
さらに、前記運転制御手段は、無線通信により前記携帯端末から前記利用者の識別情報を受信し、かつ前記携帯端末から出庫要求を受信したときに、前記搬送手段に前記利用者の識別情報と対応付けられた識別情報を有する前記パレットを前記格納部から前記入出庫部へ搬送させるように構成された、
請求項１〜３のいずれかに記載の機械式駐車設備の入出庫サポートシステム。
【請求項５】
前記運転制御手段は、前記利用者の識別情報と前記出庫要求とを受信した後、前記パレットが前記格納部から前記入出庫部へ到着するまでの間に、無線通信により前記携帯端末に、前記携帯端末が備えている表示装置及びスピーカの少なくとも一方から前記機械式駐車設備に関する第２の情報を出力させるよう構成された、
請求項４に記載の機械式駐車設備の入出庫サポートシステム。
【請求項６】
前記第２の情報は、前記機械式駐車設備から車両を出庫する方法に関する出庫案内情報を含む情報である、
請求項５に記載の機械式駐車設備の入出庫サポートシステム。
【請求項７】
前記機械式駐車設備は、入庫時において利用者が前記パレット上に車両を乗り入れる際に、前記パレット上における前記車両の位置を検出するための車両位置検出手段をさらに備え、
前記運転制御手段は、前記車両位置検出手段の検出出力に基づいて、前記車両を前記パレット上における適切な位置へ導くための情報である車両誘導情報を、無線通信により前記携帯端末へ送信するよう構成され、
前記携帯端末は、受信した前記車両誘導情報を、前記携帯端末が備えている表示装置及びスピーカの少なくとも一方から出力するよう構成された、
請求項１〜６のいずれかに記載の機械式駐車設備の入出庫サポートシステム。
【請求項８】
前記携帯端末は、前記機械式駐車設備を利用するための前記プログラムを実行する以外の、少なくとも一つ以上の機能を有する汎用機器である、請求項１〜７のいずれかに記載の機械式駐車設備の入出庫サポートシステム。
【発明の詳細な説明】
【技術分野】
【０００１】
本発明は、機械式駐車設備の入出庫サポートシステムに関する。
【背景技術】
【０００２】
従来、地上や地下に種々の機械式駐車設備（エレベータ式、垂直循環式、水平多層式、箱型循環式、平面往復式等の駐車設備があり、これらを総称して「機械式駐車設備」という）が設けられている。このような機械式駐車設備では、通常、少なくとも１つの入出庫口を有し、入出庫口には扉が設けられている。そして、入出庫口を介して車両の入出庫が行われ、入出庫口から入出庫する車両は、入出庫口近傍の入出庫部と複数の格納部との間で搬出入されている。
【０００３】
入出庫口の外部には運転操作盤が設置されており、駐車設備の管理人や利用者自身が入出庫のための各操作をこの運転操作盤によって行う。利用者自身が運転操作する方式の機械式駐車設備では、利用者は入庫時に入出庫口の手前で車両を停止させ、運転操作盤においてその操作ボタンやＩＤカードによって運転操作する。この操作によって、車両搭載用のパレットを入出庫部に呼び出し、車両をその上に乗り入れた後、入出庫口から外に出て運転操作盤を操作して扉を閉める。一方、出庫時には、利用者は運転操作盤においてその操作ボタンやＩＤカードによって操作し、自分の車が搭載されたパレットを入出庫部に呼び出す。目的のパレットが到着すると扉が開くので、利用者は車を運転して入出庫口から外に出て、一旦停車して降車し、再度、運転操作盤を操作して扉を閉める。
【０００４】
特許文献１に記載の駐車設備では、ＤＳＲＣ通信装置を備え、入庫しようとする車両に搭載されているＥＴＣ車載器と通信を行い、ＥＴＣ車載器のＷＣＮ（ワイヤレスコールナンバー）に基づいて駐車設備に予め登録済みの利用者（ＥＴＣ車両）であるか否かを判定し、登録済みであれば、自動的に入庫運転を行うように構成されており、利用者が降車せずに入庫できるようになっている。
【先行技術文献】
【特許文献】
【０００５】
【特許文献１】特開２００９−２７０３５７号公報
【発明の概要】
【発明が解決しようとする課題】
【０００６】
上記特許文献１の構成では、ＥＴＣ車載器を搭載し、かつ、駐車設備に予め登録された利用者（ＥＴＣ車両）でないと、降車せずに入庫することはできない。また、ＤＳＲＣ（専用狭域通信）を用いているので、駐車設備の運用に無線従事者として電波法上の有資格者が必要になる。
【０００７】
本発明は上記のような課題を解決するためになされたもので、ＥＴＣ車載器を搭載していなくても、降車せずに入庫することが可能となり、かつ、駐車設備の運用に電波法上の有資格者を必要としない機械式駐車設備の入出庫サポートシステムを提供することを目的としている。
【課題を解決するための手段】
【０００８】
上記目的を達成するために、本発明のある形態に係る機械式駐車設備の入出庫サポートシステムは、車両載置用の複数のパレットと、前記パレットを入出庫部と複数の格納部との間で搬送する搬送手段と、前記搬送手段を制御するとともに無線通信を行う運転制御手段とを有する機械式駐車設備と、前記機械式駐車設備を利用するための所定のプログラムを格納し、前記プログラムに基づいて前記運転制御手段との間で近距離無線通信規格に準拠した双方向の無線通信を行い、利用者によって所持される携帯端末とを備え、前記運転制御手段は、無線通信により前記携帯端末から入庫要求を受信したときに、前記搬送手段に空の前記パレットを前記入出庫部へ搬送させるように構成されている。
【０００９】
この構成によれば、機械式駐車設備に入庫する際には、利用者が携帯端末を操作して、入庫要求を運転制御手段へ送信することにより、空のパレットが入出庫部へ搬送されてくるので、利用者は降車して機械式駐車設備に設置された運転操作盤などを操作する必要がなく、降車せずに入庫することが可能となる。また、運転制御手段は、携帯端末との間で近距離無線通信規格に準拠した通信を行い、ＥＴＣ車載器との間で通信を行わないので、この機械式駐車設備の運用に電波法上の有資格者を必要としない。また、利用者の車両にＥＴＣ車載器が搭載されていなくてもよい。
【００１０】
また、前記運転制御手段は、前記入庫要求を受信した後、前記空のパレットが前記入出庫部へ到着するまでの間に、無線通信により前記携帯端末に、前記携帯端末が備えている表示装置及びスピーカの少なくとも一方から前記機械式駐車設備に関する第１の情報を出力させるよう構成されていてもよい。
【００１１】
この構成によれば、携帯端末から入庫要求を運転制御手段へ送信した後、空のパレットが入出庫部へ到着するまでの間に、携帯端末から機械式駐車設備に関する第１の情報が出力されるので、空のパレットが入出庫部へ到着するまでの待ち時間を有効に利用できるとともに、待たされることによる利用者の苛立ち等の緩和も期待できる。
【００１２】
また、前記第１の情報は、前記機械式駐車設備に車両を入庫する方法に関する入庫案内情報を含む情報であることが好ましい。
【００１３】
この構成によれば、空のパレットが入出庫部へ到着するまでの間に、車両を入庫する方法に関する入庫案内情報が携帯端末から出力されるので、利用者に車両を正しい方法で入庫させる上で有用である。
【００１４】
また、前記運転制御手段は、無線通信により前記携帯端末から利用者の識別情報を受信し、かつ前記携帯端末から前記入庫要求を受信したときに、前記搬送手段に前記空のパレットを前記入出庫部へ搬送させるとともに、前記利用者の識別情報と前記空のパレットの識別情報とを対応付けて記憶するよう構成され、さらに、前記運転制御手段は、無線通信により前記携帯端末から前記利用者の識別情報を受信し、かつ前記携帯端末から出庫要求を受信したときに、前記搬送手段に前記利用者の識別情報と対応付けられた識別情報を有する前記パレットを前記格納部から前記入出庫部へ搬送させるように構成されていてもよい。
【００１５】
この構成によれば、出庫する際には、利用者が携帯端末を操作して、利用者の識別情報と出庫要求とを運転制御手段へ送信することにより、利用者の車両が載置された該当するパレットが入出庫部へ搬送されてくるので、利用者は該当するパレットを入出庫部へ呼び出すために機械式駐車設備に設置された運転操作盤などを操作する必要がない。
【００１６】
また、前記運転制御手段は、前記利用者の識別情報と前記出庫要求とを受信した後、前記パレットが前記格納部から前記入出庫部へ到着するまでの間に、無線通信により前記携帯端末に、前記携帯端末が備えている表示装置及びスピーカの少なくとも一方から前記機械式駐車設備に関する第２の情報を出力させるよう構成されていてもよい。
【００１７】
この構成によれば、携帯端末から利用者の識別情報と出庫要求とを運転制御手段へ送信した後、該当するパレットが入出庫部へ到着するまでの間に、携帯端末から機械式駐車設備に関する第２の情報が出力されるので、パレットが入出庫部へ到着するまでの待ち時間を有効に利用できるとともに、待たされることによる利用者の苛立ち等の緩和も期待できる。
【００１８】
また、前記第２の情報は、前記機械式駐車設備から車両を出庫する方法に関する出庫案内情報を含む情報であることが好ましい。
【００１９】
この構成によれば、パレットが入出庫部へ到着するまでの間に、車両を出庫する方法に関する出庫案内情報が携帯端末から出力されるので、利用者に車両を正しい方法で出庫させる上で有用である。
【００２０】
また、前記機械式駐車設備は、入庫時において利用者が前記パレット上に車両を乗り入れる際に、前記パレット上における前記車両の位置を検出するための車両位置検出手段をさらに備え、前記運転制御手段は、前記車両位置検出手段の検出出力に基づいて、前記車両を前記パレット上における適切な位置へ導くための情報である車両誘導情報を、無線通信により前記携帯端末へ送信するよう構成され、前記携帯端末は、受信した前記車両誘導情報を、前記携帯端末が備えている表示装置及びスピーカの少なくとも一方から出力するよう構成されていてもよい。
【００２１】
この構成によれば、リアルタイムで車両誘導情報が携帯端末から出力されるので、利用者は車両をパレット上の適切な位置で停車させることが容易となる。
【００２２】
また、前記携帯端末は、前記機械式駐車設備を利用するための前記プログラムを実行する以外の、少なくとも一つ以上の機能を有する汎用機器であることが好ましい。
【００２３】
このように、携帯端末に、例えば携帯電話機などの汎用機器を用いることにより、機械式駐車設備の入出庫以外の用途にも使用されるため、利用者が一般的に常時携帯可能であり、車内に置き忘れる可能性も少なくなる。また、機械式駐車設備に専用のリモコン機器が不要になる。
【発明の効果】
【００２４】
本発明は、以上に説明した構成を有し、ＥＴＣ車載器を搭載していなくても、降車せずに入庫することが可能となり、かつ、駐車設備の運用に電波法上の有資格者を必要としない機械式駐車設備の入出庫サポートシステムを提供することができるという効果を奏する。
【図面の簡単な説明】
【００２５】
【図１】本発明の実施形態における機械式駐車設備の入出庫サポートシステムに用いられる機械式駐車設備の一例であるエレベータ式駐車設備の内部を示す全体概略正面図である。
【図２】図１に示す機械式駐車設備と携帯端末の一例とを示すブロック図である。
【図３】図１に示す機械式駐車設備の利用方法の一例を示すフローチャートである。
【図４】（ａ）〜（ｆ）は、図１に示す機械式駐車設備の入庫時における利用方法の順序の一例を示す概念図である。
【図５】（ａ）〜（ｆ）は、図１に示す機械式駐車設備の入庫時における利用方法の順序の一例を示す概念図である。
【発明を実施するための形態】
【００２６】
以下、本発明の好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００２７】
（実施形態）
本発明の実施形態における機械式駐車設備の入出庫サポートシステムは、機械式駐車設備と携帯端末とを備えている。本実施形態では、機械式駐車設備として、下部９０°乗入れ方式のエレベータ式駐車設備を例に説明する。図１は、本実施形態における機械式駐車設備の一例であるエレベータ式駐車設備の内部を示す全体概略正面図である。以下の図１の説明において、前後左右方向の概念は、図１に示す機械式駐車設備に向かった状態における前後左右方向の概念と一致するものとする。
【００２８】
図１に示すように、この機械式駐車設備１は、４隅の鉛直方向に設けられた主柱３と、この主柱３を水平方向に連結する梁（図示略）等とによって鉄骨構造体が形成され、この鉄骨構造体の外面に外装板５が設けられて駐車塔２が形成されている。この駐車塔２は、地上１階が入出庫部６となっており、入出庫部６の乗入れ床７にはピット８が形成されている。また、入出庫部６の左方向には入出庫口９が設けられ、この入出庫口９には、開閉式の扉１０が設けられている。また、入出庫口９の外部側方には、この機械式駐車設備１の入庫運転及び出庫運転等の操作を行うための公知の運転操作盤１１が配設されている。
【００２９】
この機械式駐車設備１では、駐車塔２の中央部鉛直方向に平面視が矩形状の昇降路１２が設けられている。昇降路１２は、平面視で駐車塔２の前後方向が長寸で、左右方向が短寸の矩形状となっている。また、この昇降路１２を挟んで図の左右両側に、パレット２７を格納するための複数段の格納部１３が鉛直方向に並んで設けられている。各格納部１３には、図示する左右方向に延びる棚レール１４が設けられている。棚レール１４は、主柱３と、この主柱３と平行に鉛直方向に設けられた棚柱１５とに固定されている。この棚レール１４に沿って、パレット２７が左右方向に払出し／引込みされる。
【００３０】
また、昇降路１２には、パレット２７を載せる搬器１６が配設されている。搬器１６には、パレット移載機構１７が設けられており、このパレット移載機構１７によってパレット２７を搬器１６と各格納部１３の棚レール１４との間で払出し／引込みがなされる。さらに、ピット８内には、搬器１６を持上げて旋回させるパレット持上旋回装置１８が備えられており、このパレット持上旋回装置１８により、搬器１６及びその上のパレット２７が入出庫部６で９０°旋回させられる。これらのパレット移載機構１７及びパレット持上旋回装置１８は、公知の手段が採用される。
【００３１】
さらに、この機械式駐車設備１では、駐車塔２の上部に設けられた機械室４に、搬器１６を昇降路１２に沿って昇降させる昇降駆動装置２０が設けられている。昇降駆動装置２０には、昇降路１２に垂下されたワイヤロープ２１が転向ローラ１９ａを介して掛けられている。ワイヤロープ２１は、機械室４では水平方向に延びるように配置され、転向ローラ１９ａで曲げられて搬器１６に向けて垂下し、一端（下端）に搬器１６が吊下げられている。従って、昇降駆動装置２０の駆動シーブ２３を駆動することにより、ワイヤロープ２１で吊下げられた搬器１６が昇降路１２で昇降させられる。また、ワイヤロープ２１の他端側は、転向ローラ１９ｂによって格納部１３の後方部分で垂下され、昇降駆動装置２０による巻上げ力を軽減するカウンタウェイト２２に連結されている。
【００３２】
そして、この機械式駐車設備１では、入出庫口９の近傍に入出庫制御装置３０が設けられている。この入出庫制御装置３０は、駐車塔２の外部に設けられていてもよい。
【００３３】
次に、図２は、図１に示す機械式駐車設備と携帯端末の一例とを示すブロック図である。
【００３４】
図２におけるパレット駆動手段２５は、パレット移載機構１７、パレット持上旋回装置１８及び昇降駆動装置２０の他、入出庫口９の扉１０を開閉する駆動装置、各種センサなどを含んでいる。このパレット駆動手段２５は、プログラマブルコントローラ２６によって駆動制御されるようになっている。このように、パレット２７の移動等を行う機械式駐車設備１の運転（動作）は、プログラマブルコントローラ２６によって制御されるようになっている。
【００３５】
さらに、運転操作盤１１が、プログラマブルコントローラ２６と接続されており、この運転操作盤１１を操作することにより、その操作に応じた操作信号がプログラマブルコントローラ２６に入力され、プログラマブルコントローラ２６の制御によって入庫運転及び出庫運転等の機械式駐車設備１の運転操作を行うことができる。
【００３６】
入出庫制御装置３０は、制御部３１と近距離無線通信部３４とを備えている。制御部３１は、中央演算処理装置（以下、単に「ＣＰＵ」という）３２と、ＲＯＭおよびＲＡＭを含み、ＣＰＵ３２が実行するコンピュータプログラム及び種々のデータ等を記憶する記憶部３３とを有している。
【００３７】
制御部３１は、ＣＰＵ３２がプログラマブルコントローラ２６と接続されており、プログラマブルコントローラ２６を制御するとともに、運転操作盤１１の操作により入庫された情報及び出庫された情報は記憶部３３内のパレット情報テーブルＴ１（詳細は後述する）にも記憶されるようになっている。また、プログラマブルコントローラ２６を介して機械式駐車設備１の運転状態の情報を得るようになっている。この運転状態には、所定のパレット２７を移動するために動作している状態（起動中）、どのパレット２７を移動させるかの指示を待っている状態（指示待ち中）等も含まれる。
【００３８】
また、近距離無線通信部３４は、ブルートゥース（「Bluetooth（登録商標）」）と呼ばれる近距離無線通信規格に準拠して、携帯端末４０と双方向無線通信を行なうための送受信機能を有している。
【００３９】
携帯端末４０としては、例えば、上記の近距離無線通信規格に準拠して双方向無線通信を行なうための近距離無線通信部４６を予め備えている、市販の携帯電話機（例えばスマートフォン）を用いることができる。携帯端末４０は、機械式駐車設備１の利用者が所持しているものである。
【００４０】
この携帯端末４０は、通話及びインターネット接続用等の無線通信部４１、主に通話用のマイク４２及びスピーカ４３、操作入力部４４、画面に文字及び画像等を表示する表示部（表示装置）４５、上記近距離無線通信部４６、これらを制御する制御部（ＣＰＵ及び記憶部を含む）４７等を備えている。ここでは、操作入力部４４及び表示部４５は、タッチパネル付ディスプレイ４８によって構成されている。また、携帯端末４０において、必要なプログラム及び記憶すべき情報等は全て、制御部４７内の記憶部に記憶される。
【００４１】
また、携帯端末４０には、機械式駐車設備１を利用するための所定のプログラムであるアプリケーションソフト（以下、「駐車利用アプリ」という）がインストールされている。例えば、携帯端末４０はインターネットを介して駐車利用アプリを提供しているサイトにアクセスし、そのサイトから駐車利用アプリをインストールしている。ここで、駐車利用アプリをインストールするに際し、自動的にＩＤコードが付与され、駐車利用アプリがインストールされるとともにＩＤコードが携帯端末４０に記憶される。なお、駐車利用アプリはインストールされるたびに異なるＩＤコードが自動的に付与される。また、駐車利用アプリ及びＩＤコード（以下、「利用者のＩＤコード」という）は、携帯端末４０の制御部４７内の記憶部に記憶される。利用者のＩＤコードは、利用者の識別情報である。
【００４２】
なお、機械式駐車設備１を利用するに際し、予め会員登録を行うようにしてもよい。会員登録を行う場合、例えば、上記のように駐車利用アプリをインストールして、利用者のＩＤコードを取得した後、そのＩＤコードを用いて会員登録するようにしてもよい。また、上記の駐車利用アプリをインストールする際に、会員登録してＩＤコードが発行された後、駐車利用アプリがインストールされるようにしてもよい。また、予め別途、会員登録してＩＤコードを取得するようにしてもよい。
【００４３】
本実施形態では、搬器１６、パレット移載機構１７、パレット持上旋回装置１８及び昇降駆動装置２０等によって、入出庫部６と格納部１３との間でパレット２７を搬送する搬送手段が構成され、プログラマブルコントローラ２６及び入出庫制御装置３０によって運転制御手段が構成されている。
【００４４】
次に、機械式駐車設備１の利用方法の一例について説明する。図３は、機械式駐車設備１の利用方法の一例を示すフローチャートである。また、図４（ａ）〜（ｆ）及び図５（ａ）〜（ｆ）は、機械式駐車設備１の入庫時における利用方法の順序の一例を示す概念図である。
【００４５】
ここで説明する機械式駐車設備１の利用者は、前述のように携帯端末４０に駐車利用アプリをインストールしており、利用者が携帯する携帯端末４０は、駐車利用アプリを実行することにより、機械式駐車設備１の入出庫制御装置３０と、それぞれの近距離無線通信部４６，３０を通じて双方向の無線通信を行うことができる。
【００４６】
また、入出庫制御装置３０の制御部３１では、パレット情報テーブルＴ１を記憶部３３に記憶している。パレット情報テーブルＴ１には、全ての各パレット２７について、パレット２７の識別番号（パレットの識別情報）と、そのパレット２７が現在格納されている格納部１３の識別番号と、そのパレット２７の載置車両情報とが対応付けられたパレット情報が登録（記憶）されている。なお、各パレット２７には予め識別番号が付与され、各格納部１３にも予め識別番号が付与されている。載置車両情報は、格納部１３に格納されているパレット２７に現在載置されている車両の運転手のＩＤコード（すなわち利用者のＩＤコード）であり、そのパレット２７に現在車両が載置されていない場合には載置車両情報としては何も記憶されていない（あるいは空であることを示す情報が記憶されていてもよい）。なお、各パレット２７が必ず同じ格納部１３に格納される場合には、パレット２７の識別番号と格納部１３の識別番号とのうちのいずれか一方を（あるいは両方を同じ識別番号として）、載置車両情報と対応づけて、パレット情報テーブルＴ１を作成してもよい。なお、運転操作盤１１の操作によって入庫運転がなされる場合には、載置車両情報として、例えば車両のナンバーを記憶するようにしてもよい。以下では、携帯端末４０を利用した場合の入庫及び出庫方法について説明する。
【００４７】
まず、入庫する場合について説明する。車両６０に乗った利用者が機械式駐車設備１に近づいて停車し、携帯端末４０を操作して駐車利用アプリを起動すると、携帯端末４０の近距離無線通信部４０は入出庫制御装置３０の近距離無線通信部３４との間で接続を確立して通信を行う。そして、携帯端末４０から入出庫制御装置３０へ利用者のＩＤコードが送信される（ステップＳ１、図４（ａ）参照）。ステップＳ１〜Ｓ６，Ｓ１１〜Ｓ１４は駐車利用アプリを実行することによってなされる処理である。
【００４８】
入出庫制御装置３０の制御部３１では、送信された利用者のＩＤコードを近距離無線通信部３４を介して取得し（ステップＳ２１）、そのＩＤコードに対応する車両が入庫済みであるか否かをパレット情報テーブルＴ１に基づいて判断する（ステップＳ２２）。該当するＩＤコードがパレット情報テーブルＴ１の載置車両情報に存在すれば、入庫済み（現在入庫されている）と判断し、同ＩＤコードが存在しなければ入庫済みではない（現在入庫されていない）と判断する。入庫済みの場合には、後述のステップＳ３１の処理へ進む。
【００４９】
入庫済みではない場合、さらにステップＳ２３で入庫可能か否かを判断する。例えば、パレット情報テーブルＴ１に基づいて空パレット（車両が載置されていないパレット）があるか否かを判断し、空パレットがある場合には入庫可能と判断し、空パレットがない場合には入庫不可と判断する。
【００５０】
制御部３１は、入庫不可と判断した場合には、入庫不可情報を携帯端末４０へ送信する（ステップＳ２４）。なお、制御部３１による携帯端末４０との情報の送受信は、すべて近距離無線通信部３４を介して行われる。
【００５１】
そして、携帯端末４０は入庫不可情報を受信すると、その情報を出力する（ステップＳ２）。ここで、携帯端末４０は、例えば、そのタッチパネル付ディスプレイ４８の画面（表示部４５の画面）４８Ｓに「ただいま入庫不可です」と表示させるとともに、同内容をスピーカ４３から音声出力させる。利用者は駐車利用アプリを終了させる。
【００５２】
また、制御部３１は、ステップＳ２３で入庫可能と判断した場合には、入庫するか否かを問い合わせる入庫問合せ情報を携帯端末４０へ送信する（ステップＳ２５）。
【００５３】
そして、携帯端末４０は入庫問合せ情報を受信すると、その情報を出力する（ステップＳ３）。ここで、携帯端末４０は、例えば、そのスピーカ４３から「ただいま入庫できます。車を入庫されますか？」と音声出力させるとともに、その画面４８Ｓに「はい」「いいえ」を表示させる（図４（ｂ）参照）。
【００５４】
利用者が、携帯端末４０の画面４８Ｓに表示された「はい」をタッチすると、携帯端末４０は、その情報（入庫する旨の情報＝入庫要求）を入出庫制御装置３０へ送信する（ステップＳ４、図４（ｃ）参照）。
【００５５】
そして、入出庫制御装置３０（制御部３１）は入庫する旨の情報（入庫要求）を受信すると、プログラマブルコントローラ２６に対して、所定の空パレット（空パレットが複数ある場合には、そのうちの、例えば、入出庫部６に最も近い１つの空パレット）を入出庫部６へ呼び出す指令を出力する（ステップＳ２６）。そしてさらに、入庫案内情報を携帯端末４０へ送信する（ステップＳ２７）。
【００５６】
そして、携帯端末４０は入庫案内情報を受信すると、その情報をスピーカ４３及び画面４８Ｓに出力する（ステップＳ５）。ここで、携帯端末４０から出力する入庫案内情報の一例が、図４（ｄ）〜（ｆ）及び図５（ａ）に示されている。
【００５７】
まず、図４（ｄ）では、携帯端末４０のスピーカ４３から、例えば、「空パレットを呼び出しています。入庫時の注意事項について説明します。」と音声出力する。ここで、携帯端末４０の画面４８Ｓに、「パレット到着までｘｘ分ｘｘ秒」と空パレットの到着所要時間を表示するようにしてもよい。この場合、入庫案内情報に空パレットの到着所要時間が含まれており、この到着所要時間は、例えば、各格納部１３に対応して予め決められた時間であり、記憶部３３に記憶されている。
【００５８】
続いて、図４（ｅ）、図４（ｆ）、図５（ａ）に示すように、携帯端末４０の画面４８Ｓに、例えば、入出庫口９の外側から入出庫部６内を撮影した画像Ｐ１〜Ｐ３（入庫案内情報として使用するために予め撮影された画像）とともに、入庫案内情報に含まれる注意事項Ｗ１〜Ｗ３を文字で表示する。
【００５９】
図４（ｅ）では、注意事項Ｗ１として、例えば、「扉が開きましたらガイドの間を進むようゆっくり、まっすぐに前進します。」と表示され、画像Ｐ１には、パレット２７に設けられた両側のガイド２７ａにそれを強調するための丸印を付与し、車がまっすぐに前進することを示す矢印を付与している。
【００６０】
次の図４（ｆ）では、注意事項Ｗ２として、例えば、「前進の際の左右の位置調整は前方の鏡をご覧になってください。」と表示され、続いて、図５（ａ）では、注意事項Ｗ３として、例えば、「停車の合図は鏡の上の案内灯にて行っています。」と表示される。また、図４（ｆ）の画像Ｐ２及び図５（ａ）の画像Ｐ３には、注意事項Ｗ２、Ｗ３の内容が利用者にわかりやすいように、入出庫部６に設置されている鏡６１と案内灯６２が示されている。
【００６１】
このようにして、空パレットが入出庫部６に到着するまでの間に、利用者に入庫案内情報を知らせることができる。
【００６２】
そして、制御部３１は、プログラマブルコントローラ２６から空パレットが入出庫部６に到着した情報を得ると、パレット到着情報を携帯端末４０へ送信する（ステップＳ２８）。
【００６３】
そして、携帯端末４０はパレット到着情報を受信すると、その情報を出力する（ステップＳ６）。ここで、携帯端末４０は、例えば、そのスピーカ４３から「パレットが到着しました。お車を入庫させてください。」と音声出力させるとともに、画面４８Ｓに「パレット到着」と表示させる（図５（ｂ）参照）。なお、プログラマブルコントローラ２６は、空パレットが入出庫部６に到着すると、入出庫口９の扉１０を開ける。
【００６４】
この後の処理は図３では省略して示していないが、携帯端末４０と入出庫制御装置３０との通信は継続している。
【００６５】
そして、利用者は、車両６０を前進させて入出庫部６のパレット２７上へ載置する。ここで、入出庫部６には、入庫する車両のパレット２７上での位置を検出するための各種センサ（図示せず）が設けられ、これら各種センサの出力は制御部３１へ入力されている。例えば、入庫する車両のパレット２７上での前後方向の位置を検出するための車両位置検出手段として、車両の前方位置を制限する境界線Ｌ１上での車両の有無を検出する第１のセンサ（例えば光センサ）と、車両の後方位置を制限する境界線Ｌ２上での車両の有無を検出する第２のセンサ（例えば光センサ）とが設けられ、これら第１及び第２のセンサの出力は制御部３１へ入力されている。境界線Ｌ１，Ｌ２は、図５（ｃ）〜図５（ｅ）に示されている。
【００６６】
前述のように、利用者が車両６０を前進させて入出庫部６のパレット２７上へ進行させる際に、図５（ｃ）のように車両６０が境界線Ｌ２上にあることが第２のセンサで検出されると、制御部３１は、車両の前進を促す旨の情報を携帯端末４０へ送信し、その情報を受信した携帯端末４０では、例えば、そのスピーカ４３から「前進してください。」と音声出力させる。そして、図５（ｄ）のように車両６０が境界線Ｌ２を通過し、かつ境界線Ｌ１に達していないとき（すなわち車両が境界線Ｌ１と境界線Ｌ２との間に入ったとき）には、制御部３１は、車両の停止を促す旨の情報を携帯端末４０へ送信し、その情報を受信した携帯端末４０では、例えば、そのスピーカ４３から「停止してください。停車位置です。」と音声出力させる。
【００６７】
一方、図５（ｅ）のように車両６０が境界線Ｌ１上にあることが第１のセンサで検出されると、制御部３１は、車両の後進を促す旨の情報を携帯端末４０へ送信し、その情報を受信した携帯端末４０では、例えば、そのスピーカ４３から「バックしてください。」と音声出力させる。そして、図５（ｄ）のように、車両６０が境界線Ｌ１と境界線Ｌ２との間に入ったときに、前述のように制御部３１は、車両の停止を促す旨の情報を携帯端末４０へ送信し、その情報を受信した携帯端末４０では、例えば、そのスピーカ４３から「停止してください。停車位置です。」と音声出力させる。
【００６８】
さらに、制御部３１は、例えば、車両６０が境界線Ｌ１と境界線Ｌ２との間に入った状態が所定の時間（例えば１０秒程度）継続した場合には、車両６０が適切な停車位置で停車したと判断し、降車時の注意情報を携帯端末４０へ送信し、その情報を携帯端末４０は受信して出力する。ここで、携帯端末４０は、図５（ｆ）に示すように、その画面４８Ｓに、降車時の注意情報に含まれる注意事項Ｗ４を文字で表示するとともに、注意事項Ｗ４に対応する画像Ｐ４を表示する。図５（ｆ）では、注意事項Ｗ４として、例えば、「パーキングブレーキを掛け、ドアミラーをたたんでください。アンテナを下げ、ドアを確実に閉めてください。」と表示され、画像Ｐ４として、パーキングブレーキ及びドアミラー等を強調した画像が表示される。なお、上記の注意事項Ｗ４の内容を携帯端末４０のスピーカ４３から音声出力させるようにしてもよい。
【００６９】
以上で入出庫制御装置３０は携帯端末４０との通信を終了する。
【００７０】
利用者は、降車した後、入出庫口９の外部側方に設けられた運転操作盤１１を操作して機械式駐車設備１の入庫動作を終了させる。具体的には、利用者は、周囲の安全を確認して運転操作盤１１の安全確認ボタン（図示せず）を押してから、扉閉及び終了ボタン（図示せず）を押す。運転操作盤１１の扉閉及び終了ボタンが押されると、プログラマブルコントローラ２６は、パレット駆動手段２５を制御して、入出庫口９の扉１０を閉じるとともに、車両が載置されたパレット２７を格納部１３へ格納させ、格納完了の旨及び格納部１３の識別番号を制御部３１へ与える。この格納完了の旨及び格納部１３の識別番号を取得すると、制御部３１では、入庫車両について、パレット２７の識別番号と、格納部１３の識別番号と、そのパレット２７の載置車両情報（利用者のＩＤコード）とを対応付けて、パレット情報テーブルＴ１に登録（記憶）する。以上で、機械式駐車設備１の入庫動作が完了する。
【００７１】
なお、利用者がパレット２７に停車後の、降車してから入庫動作を終了させるための運転操作盤１１の操作方法及びその際の注意事項等からなる入庫終了操作情報を、図５（ｆ）の降車時の注意情報のあとに続けて、入出庫制御装置３０から携帯端末４０へ送信し、携帯端末４０から出力させるようにしてもよい。また、図５（ｆ）の降車時の注意情報及び入庫終了操作情報のそれぞれを、前述の入庫案内情報のあとに続けて、あるいは入庫案内情報に含めて、入出庫制御装置３０から携帯端末４０へ送信し、空パレットが入出庫部６に到着する前に、携帯端末４０から出力させるようにしてもよい。
【００７２】
利用者が、車両６０を入出庫部６のパレット２７上へ乗り入れる際に、図５（ｃ）〜（ｅ）を用いて説明したように、入出庫制御装置３０から携帯端末４０へ、車両６０を適切な停車位置（載置位置）へ導くための情報（車両誘導情報）が送信され、その車両誘導情報がリアルタイムで携帯端末４０から出力されるので、利用者は車両６０をパレット２７上の適切な位置で停車させることが容易となる。
【００７３】
また、車両誘導情報が、利用者の携帯端末４０のスピーカ４３から音声出力されるので、従来の入出庫部６内に設けられたスピーカの音声出力で車両６０を誘導する方法に比べ、小さな音量でしかも車内での音声出力であるので、特に夜間などの近隣への音漏れの心配が少なくなる。また、車内の利用者に対して直接的に車両誘導情報を伝達することができ、利用者が車両誘導情報を明瞭に聞き取ることができる。
【００７４】
また、車両誘導情報は次のような情報でもよい。例えば、図５（ｃ）のように入出庫部６に到着したパレット２７上へ車両６０が乗り入れられる際に、車両６０の左右方向（幅方向）の位置を検出するためのセンサ等の車両位置検出手段を入出庫部６に設け、制御部３１がその検出手段の出力に基づいて、車両６０の左右方向の位置が適切であるか否かを判断し、適切でない場合には、車両６０を適切な位置へ導くための情報（車両誘導情報）を携帯端末４０へ送信するようにしてもよい。その情報を受信した携帯端末４０では、例えば、そのスピーカ４３から「左に（右に）寄ってください。」と音声出力させる。
【００７５】
さらに、車両誘導情報は次のような情報でもよい。例えば、入出庫部６のパレット２７上へ乗りいれられる車両６０を上方から撮影するカメラを設置し、このカメラで撮影される俯瞰画像（動画）情報（車両誘導情報）をリアルタイムで入出庫制御装置３０から携帯端末４０へ送信するようにしてもよい。その情報を受信した携帯端末４０では、その画面４８Ｓに上記俯瞰画像を表示させる。この場合、画面４８Ｓが見えやすいように、例えば車内のフロントガラスの近くに、携帯端末４０を立てかける支持台等を設置していることが好ましい。
【００７６】
次に、出庫する場合について説明する。利用者が機械式駐車設備１に近づいて、携帯端末４０を操作して駐車利用アプリを起動すると、携帯端末４０の近距離無線通信部４０は入出庫制御装置３０の近距離無線通信部３４との間で接続を確立して通信を行う。そして、携帯端末４０から入出庫制御装置３０へ利用者のＩＤコードが送信される（ステップＳ１）。
【００７７】
制御部３１では、近距離無線通信部３４で受信された利用者のＩＤコードを取得し（ステップＳ２１）、そのＩＤコードに対応する車両が入庫済みであるか否かをパレット情報テーブルＴ１に基づいて判断する（ステップＳ２２）。該当するＩＤコードがパレット情報テーブルＴ１の載置車両情報に存在すれば、入庫済み（現在入庫されている）と判断し、ステップＳ３１の処理へ進む。
【００７８】
ステップＳ３１では、制御部３１は、出庫するか否かを問い合わせる出庫問合せ情報を携帯端末４０へ送信する。
【００７９】
そして、携帯端末４０は出庫問合せ情報を受信すると、その情報を出力する（ステップＳ１１）。ここで、携帯端末４０は、例えば、そのスピーカ４３から「車を出庫されますか？」と音声出力させるとともに、画面４８Ｓに「はい」「いいえ」を表示させる。
【００８０】
利用者が、携帯端末４０の画面４８Ｓに表示された「はい」をタッチすると、携帯端末４０は、その情報（出庫する旨の情報＝出庫要求）を入出庫制御装置３０へ送信する（ステップＳ１２）。
【００８１】
そして、入出庫制御装置３０（制御部３１）は出庫する旨の情報（出庫要求）を受信すると、パレット情報テーブルＴ１を参照して、プログラマブルコントローラ２６に対して、ステップＳ２１で取得したＩＤコードに対応するパレット２７を入出庫部６へ呼び出す指令を出力する（ステップＳ３２）。そしてさらに、出庫案内情報を携帯端末４０へ送信する（ステップＳ３３）。
【００８２】
そして、携帯端末４０は出庫案内情報を受信すると、その情報をスピーカ４３及び画面４８Ｓに出力する（ステップＳ１３）。ここで、携帯端末４０から出力する出庫案内情報の一例について説明する。まず、携帯端末４０のスピーカ４３から、例えば、「パレットを呼び出しています。出庫時の注意事項について説明します。」と音声出力する。ここで、携帯端末４０の画面４８Ｓに、「パレット到着までｘｘ分ｘｘ秒」とパレットの到着所要時間を表示するようにしてもよい。この場合、出庫案内情報にパレットの到着所要時間が含まれている。
【００８３】
続いて、携帯端末４０の画面４８Ｓに、例えば、車両が入出庫部６から入出庫口９の外側へ出て停止し、人間が降車して運転操作盤１１を操作する画像が順次表示されるとともに、出庫案内情報に含まれる注意事項が、図４（ｅ）、図４（ｆ）及び図５（ａ）のように、上記画像の表示領域の上部に順次文字で表示される。この場合、注意事項として、例えば、「扉が開きましたら乗車してゆっくり前進し、外に出て一旦停車します。」「降車して周囲を確認し、運転操作盤１１の安全確認ボタンを押してから、扉閉及び終了ボタンを押し、その後、退場してください。」と表示される。また、これらの注意事項を携帯端末４０のスピーカ４３から音声出力させるようにしてもよい。
【００８４】
このようにして、パレット２７が入出庫部６に到着するまでの間に、利用者に出庫案内情報を知らせることができる。
【００８５】
そして、制御部３１は、プログラマブルコントローラ２６からパレット２７が入出庫部６に到着した情報を得ると、パレット到着情報を携帯端末４０へ送信する（ステップＳ３４）。
【００８６】
そして、携帯端末４０はパレット到着情報を受信すると、その情報を出力する（ステップＳ１４）。ここで、携帯端末４０は、例えば、そのスピーカ４３から「パレットが到着しました。お車を出庫させてください。」と音声出力させるとともに、画面４８Ｓに「パレット到着」と表示させる。なお、プログラマブルコントローラ２６は、パレット２７が入出庫部６に到着すると、入出庫口９の扉１０を開ける。
【００８７】
以上で入出庫制御装置３０は携帯端末４０との通信を終了する。
【００８８】
そして、利用者は、前述の出庫案内情報にしたがって、車両に乗車して、外に出て一旦停車し、降車して運転操作盤１１を操作し機械式駐車設備１の出庫動作を終了させる。具体的には、利用者は、降車後に周囲の安全を確認して運転操作盤１１の安全確認ボタン（図示せず）を押してから、扉閉及び終了ボタン（図示せず）を押す。運転操作盤１１の扉閉及び終了ボタンが押されると、プログラマブルコントローラ２６は、パレット駆動手段２５を制御して、入出庫口９の扉１０を閉じるとともに、空のパレット２７を格納部１３へ格納させ、格納完了の旨及び格納部１３の識別番号を制御部３１へ与える。この格納完了の旨及び格納部１３の識別番号を取得すると、制御部３１では、そのパレット２７に関するパレット情報をパレット情報テーブルＴ１から削除し、新たにそのパレット２７の識別番号と格納部１３の識別番号と載置車両情報とが対応付けられたパレット情報を、パレット情報テーブルＴ１に記憶する。ここで新たに記憶するパレット情報の載置車両情報としては、前述のように、何も記憶されない（あるいは空であることを示す情報が記憶される）。以上で、機械式駐車設備１の出庫動作が完了する。
【００８９】
なお、上記では、入出庫制御装置３０からの入庫あるいは出庫の問合せ（ステップＳ２５、Ｓ３１）に応答して、携帯端末４０から入庫あるいは出庫する旨の情報（入庫要求あるいは出庫要求）を入出庫制御装置３０へ送信（返信）する（ステップＳ４、Ｓ１２）ようにしているが、これに限らない。例えば、入出庫制御装置３０から入庫あるいは出庫の問合せを行わずに、携帯端末４０から入庫あるいは出庫する旨の情報（入庫要求あるいは出庫要求）を入出庫制御装置３０へ送信するようにしてもよい。この場合、入出庫制御装置３０は、携帯端末４０から入庫要求を受信すると、入庫可能か否かを判断し、入庫可能と判断した場合に、ステップＳ２６、Ｓ２７と同じ処理を行い、入庫不可と判断した場合には、入庫不可情報を携帯端末４０へ送信する（ステップＳ２４参照）。
【００９０】
また、上記では、入庫及び出庫する際に、利用者が携帯端末４０を操作して駐車利用アプリを起動するようにしたが、携帯端末４０を所持した利用者が機械式駐車設備１に近づいて入出庫制御装置３０からの通信可能範囲内に入ったときに、自動的に駐車利用アプリを起動させるように構成してもよい。
【００９１】
本実施形態では、機械式駐車設備１に入庫する際には、利用者が携帯電話機等の携帯端末４０を操作して、無線通信により、入庫する旨の情報（入庫要求）を入出庫制御装置３０へ送信することにより、空のパレット２７が入出庫部６へ搬送されてきて入出庫口９の扉１０が開くので、利用者は空のパレット２７を入出庫部６へ呼び出すために降車して運転操作盤１１を操作する必要がなく、降車せずに入庫することが可能となる。また、入出庫制御装置３０は、携帯端末４０との間で近距離無線通信規格に準拠した通信を行い、ＥＴＣ車載器との間で通信を行わないので、この機械式駐車設備１の運用に電波法上の有資格者を必要としない。また、利用者の車両にＥＴＣ車載器が搭載されていなくてもよい。なお、近距離無線通信規格としてブルートゥースを例示したが、特定の通信規格に限定されない。
【００９２】
また、携帯端末４０から入庫する旨の情報（入庫要求）を入出庫制御装置３０へ送信した後、空のパレット２７が入出庫部６へ到着するまでの間に、車両のパレット上への乗り入れ方法等の入庫方法を含む入庫案内情報が携帯端末４０から出力されるので、利用者に車両を正しい方法で入庫させる上で有用である。したがって、空のパレット２７が入出庫部６へ到着するまでの待ち時間を有効に利用できるとともに、待たされることによる利用者の苛立ち等の緩和も期待できる。特に、空のパレット２７が入出庫部６から遠い格納部１３にある場合には、入出庫部６に到着するまでに長い時間がかかる（待ち時間が長くなる）。なお、この待ち時間の間に、入出庫制御装置３０は、機械式駐車設備１に関する情報（第１の情報）として、入庫案内情報だけでなく、他の情報（機械式駐車設備１の宣伝等の情報）を携帯端末４０へ送信し、携帯端末４０から出力させるようにしてもよい。
【００９３】
また、出庫する際には、利用者が携帯端末４０を操作して、無線通信により、出庫する旨の情報（出庫要求）を入出庫制御装置３０へ送信することにより、該当するパレット（利用者の車両が載置されているパレット）２７が入出庫部６へ搬送されてきて入出庫口９の扉１０が開くので、利用者は該当するパレット２７を入出庫部６へ呼び出すために運転操作盤１１を操作する必要がない。
【００９４】
また、携帯端末４０から出庫する旨の情報（出庫要求）を入出庫制御装置３０へ送信した後、該当するパレット２７が入出庫部６へ到着するまでの間に、車両の出庫方法を含む出庫案内情報が携帯端末４０から出力されるので、利用者に車両を正しい方法で出庫させる上で有用である。したがって、該当するパレット２７が入出庫部６へ到着するまでの待ち時間を有効に利用できるとともに、待たされることによる利用者の苛立ち等の緩和も期待できる。特に、該当するパレット２７が入出庫部６から遠い格納部１３にある場合には、入出庫部６に到着するまでに長い時間がかかる（待ち時間が長くなる）。なお、この待ち時間の間に、入出庫制御装置３０は、機械式駐車設備１に関する情報（第２の情報）として、出庫案内情報だけでなく、他の情報（機械式駐車設備１の宣伝等の情報）を携帯端末４０へ送信し、携帯端末４０から出力させるようにしてもよい。
【００９５】
また、上述の入庫案内情報等の第１の情報及び出庫案内情報等の第２の情報は、予め、駐車利用アプリにデータとして格納しておいて、それら各々の情報を携帯端末４０から出力させる際には、その旨の情報（指令）を入出庫制御装置３０から携帯端末４０へ送信するようにしてもよい。この場合、入出庫制御装置３０は、例えば、ステップＳ２７において、入庫案内情報に代えて、携帯端末４０に入庫案内情報を出力させるための出力指令を携帯端末４０へ送信し、ステップＳ３３において、出庫案内情報に代えて、携帯端末４０に出庫案内情報を出力させるための出力指令を携帯端末４０へ送信すればよく、入出庫制御装置３０から携帯端末４０へ送信する情報量を少なくすることができる。
【００９６】
また、入出庫制御装置３０の通信部３４は、近距離無線通信を行うため、遮蔽物があっても通信可能であり、その通信部３４の送受信機を利用者から見える位置に設置する必要がない。
【００９７】
なお、携帯端末４０の近距離無線通信部４６及び入出庫制御装置３０の近距離無線通信部３４のそれぞれの通信距離は、例えば数十メートル以内とすることができる。あるいは、数百メートル以内であってもよい。
【００９８】
なお、利用者は、携帯端末４０に利用者の車両６０の幅、高さ及び長さ等の諸元を記憶させておいて、機械式駐車設備１に入庫しようとする際に、例えば、ステップＳ１において、携帯端末４０から利用者のＩＤコードとともに車両６０の諸元を入出庫制御装置３０へ送信するようにし、入出庫制御装置３０（制御部３１）では、その車両６０の諸元と予め記憶部３３に記憶されている機械式駐車設備１の規格（入庫可能な車両の規格）とに基づいて、車両６０が入庫可能な車両か否かを判定し、入庫不可能な車両である場合には、その情報を携帯端末４０へ送信するようにしてもよい。この場合、入庫不可能な車両である情報を受信した携帯端末４０では、その情報を、スピーカ４３から音声出力させるようにしてもよいし、画面４８Ｓに表示させるようにしてもよい。
【００９９】
なお、駐車利用アプリを提供しているサイトにアクセスし、そのサイトから機械式駐車設備１の取扱説明書（電子データ）をダウンロードできるようにして、利用者が携帯端末４０を操作してその画面４８Ｓで上記取扱説明書をいつでも見ることができるようにしてもよい。
【０１００】
また、携帯端末４０に、例えば携帯電話機などの汎用機器を用いることにより、機械式駐車設備１の入出庫以外の用途にも使用されるため、利用者が一般的に常時携帯可能であり、車内に置き忘れる可能性も少なくなる。また、機械式駐車設備１に専用のリモコン機器が不要になる。
【０１０１】
なお、本実施形態では、機械式駐車設備１として、エレベータ式駐車設備を例に説明したが、これに限らず、垂直循環式、水平多層式、箱型循環式、平面往復式等の駐車設備であってもよい。
【産業上の利用可能性】
【０１０２】
本発明は、ＥＴＣ車載器を搭載していなくても、降車せずに入庫することが可能となり、かつ、駐車設備の運用に電波法上の有資格者を必要としない機械式駐車設備の入出庫サポートシステム等として有用である。
【符号の説明】
【０１０３】
１  機械式駐車設備
６  入出庫部
１３  格納部
２６  プログラマブルコントローラ
２７  パレット
３０  入出庫制御装置
３４  近距離無線通信部
４０  携帯端末
４３  スピーカ
４４  操作入力部
４５  表示部
４６  近距離無線通信部
【図１】
2015108227.tif 000003
【図２】
2015108227.tif 000004
【図３】
2015108227.tif 000005
【図４】
2015108227.tif 000006
【図５】
2015108227.tif 000007